(57)【要約】【課題】  ハードディスクドライブユニットにおけるハードディスクドライブの筐体部に対する取り付け、取り外しの容易化を図る。【解決手段】  本発明に係るハードディスクドライブユニットでは、ハードディスクドライブ２と、ハードディスクドライブ２が取り付けられる筐体部３とを備えて構成されたハードディスクドライブユニット１において、筐体部３に取り付けられた防振部材５１と、この防振部材５１に支持されて筐体部３に取り付けられた取付基台４とを備え、取付基台４にハードディスクドライブ２が取り付けられる。【選択図】  図１
2005196865.tif 000002
【特許請求の範囲】
【請求項１】
ハードディスクドライブと、前記ハードディスクドライブが取り付けられる筐体部とを備えて構成されたハードディスクドライブユニットにおいて、
前記筐体部に取り付けられた弾性部材と、
前記弾性部材に支持されて前記筐体部に取り付けられた取付基台とを備え、
前記取付基台に前記ハードディスクドライブが取り付けられることを特徴とするハードディスクドライブユニット。
【請求項２】
前記ハードディスクドライブが第２の弾性部材に支持されて前記取付基台に取り付けられることを特徴とする請求項１に記載のハードディスクドライブユニット。
【発明の詳細な説明】
【技術分野】
【０００１】
本発明は、ハードディスクドライブとハードディスクドライブが取り付けられる筐体部とを備えて構成されたハードディスクドライブユニットに関し、さらに詳しくは、ハードディスクドライブの取付構造に関する。
【背景技術】
【０００２】
ハードディスクドライブは、回転円盤状の磁気ディスクにデータを記録するものであり、磁気ヘッドを利用して磁気ディスク表面の磁気記録部に対して磁気データを読み書きする構成となっている。従来、ハードディスクドライブは、パーソナルコンピュータ等の電子機器の筐体に固定取り付けされた状態で使用されていたが、近年、交換、増設等を考慮して、ハードディスクドライブのユニット化が進められている。
【０００３】
ユニット化すると、例えば、電子機器に設けられた所定の装着部に対してハードディスクドライブユニットを着脱させることが可能になるが、着脱のたびにハードディスクドライブが振動してしまう。また、ハードディスクドライブの磁気ディスクはスピンドルモータの回転駆動力を受けて回転しており、磁気ディスクの回転により振動や騒音が発生する。ところが、磁気ディスクと磁気ヘッドとの間隔は非常に狭いため、ハードディスクドライブは振動や衝撃には非常に弱い構造となっている。そこで、ハードディスクドライブを防振部材である弾性部材を介してユニットの筐体部に取り付けることにより、振動や衝撃に対処している。
【特許文献１】特開２００３−３１４６１３号公報
【発明の開示】
【発明が解決しようとする課題】
【０００４】
しかしながら、ハードディスクドライブが弾性部材を介して筐体部に取り付けられる構造では、防振部材を固定するために座金等の小部品が必要で、ハードディスクドライブを取り外すと固定ネジ以外にこの小部品が取り外されてしまう。そのため、ハードディスクドライブの取り付け、取り外しを行う際には固定ネジに加えて小部品を管理する必要があり、作業が煩雑となっていた。
【０００５】
本発明は、このような問題に鑑みてなされたものであり、ハードディスクドライブユニットにおけるハードディスクドライブの筐体部に対する取り付け、取り外しの容易化を図ることを目的とする。
【課題を解決するための手段】
【０００６】
このような目的達成のため、本発明では、ハードディスクドライブと、ハードディスクドライブが取り付けられる筐体部とを備えて構成されたハードディスクドライブユニットにおいて、筐体部に取り付けられた弾性部材と、弾性部材に支持されて筐体部に取り付けられた取付基台とを備え、取付基台にハードディスクドライブが取り付けられる。
【０００７】
さらに、上述のハードディスクドライブユニットにおいて、ハードディスクドライブが第２の弾性部材に支持されて取付基台に取り付けられることが好ましい。
【発明の効果】
【０００８】
本発明によれば、ハードディスクドライブが弾性部材に支持された取付基台に取り付けられるため、ハードディスクドライブの取り付けには固定ネジのみを用いることができ、ハードディスクドライブの筐体部に対する取り付け、取り外しを容易に行うことができる。また、ハードディスクドライブが取付基台を用いてユニットの筐体部に取り付けられるため、ハードディスクドライブに形成されるネジ穴の位置に関係なく弾性部材を配置することができ、より効果的な防振性能が得られるように弾性部材を配置することが可能となる。
【０００９】
さらに、ハードディスクドライブが第２の弾性部材に支持されて取付基台に取り付けられることで、ハードディスクドライブの防振効果をより高めることができる。
【発明を実施するための最良の形態】
【００１０】
以下、本発明の好ましい実施形態について図面を参照しながら説明する。本発明に係るハードディスクドライブユニット１を図１に示している。このハードディスクドライブユニット１は、ハードディスクドライブ２と、板状の筐体部３と、ハードディスクドライブ２を筐体部３に取り付けるための取付基台４とを主体に構成される。ハードディスクドライブ２は、外形が方形箱状に形成されており、底部に取り付け用の４つ以上のネジ穴（図示せず）が形成されている。筐体部３は、基板やアルミニウム等の金属板材を用いて方形板状（必要な形状）に形成されており、電子機器に設けられた所定の装着部（図示せず）に装着されるようになっている。また、筐体部３には、取付基台４を取り付けるための基台取付穴（図示せず）が必要な箇所に必要数（例えば、本実施形態において４つ）形成されている。
【００１１】
取付基台４は、図１および図２に示すように、ステンレス等の金属板材を用いて方形板状に形成される。取付基台４の上面側には、４つの腕部材４１がネジ等の固定手段（図示せず）を用いて取り付けられており（取付基台４と一体に形成されてもよい）、腕部材４１の上端部にそれぞれ形成された平面板状の支持部４２においてハードディスクドライブ２が支持されるようになっている。腕部材４１の支持部４２には、ハードディスクドライブ２のネジ穴（図示せず）の位置に合わせて長穴状のハードディスク固定穴４３（円穴でもよい）がそれぞれ形成されており、固定ネジ４５が通過できるようになっている。
【００１２】
そして、ハードディスクドライブ２のネジ穴にハードディスク固定穴４３の位置をそれぞれ合わせ、固定ネジ４５をハードディスク固定穴４３に通過させるとともにハードディスクドライブ２のネジ穴にそれぞれネジ固定することで、ハードディスクドライブ２が取付基台４に取り付けられる。このようにして、固定ネジ４５のみを用いてハードディスクドライブ２を取付基台４に取り付けることができる。また、取付基台４には通過穴４４が形成されており、防振部材５１の胴部が通過できるようになっている。
【００１３】
また、図１に示すように、取付基台４は、取付基台４を支持する防振部材５１と、防振部材５１の上面側にそれぞれ配設された押さえ部材５３と、取付基台４を固定する基台取付ネジ（図示せず）とを用いて筐体部３に取り付けられている。防振部材５１は、防振ゴム材料を用いて、側部中央にくびれ部５２を有する円筒状に形成され、このくびれ部５２を取付基台４の通過穴４４に嵌合させることで、防振部材５１が取付基台４に装着されるようになっている。また、防振部材５１の中心には通過穴５１ａ（図２も参照）が形成されており、押さえ部材５３の胴部が通過できるようになっている。
【００１４】
押さえ部材５３は、ステンレス等の金属材料を用いて、上端部に防振部材５１の上面と当接可能な円盤部５３ａを有する円筒状に形成される。押さえ部材５３の中心には、基台取付ネジ（図示せず）と螺合可能なネジ穴（図示せず）が形成されている。なお、押さえ部材５３の構成は上記に限らず、例えば、円盤部が別体に設けられて円筒状の胴部に取り付けられるようにしてもよい。
【００１５】
そして、取付基台４を筐体部３に取り付けるには、まず、防振部材５１のくびれ部５２を取付基台４の通過穴４４に嵌合させて防振部材５１を取付基台４に装着する。次に、取付基台４に装着された防振部材５１を基台取付穴（図示せず）が位置する筐体部３の上面側に当接させ、さらに、押さえ部材５３を防振部材５１の通過穴５１ａに通過させて筐体部３の上面側に当接させる。そして、基台取付ネジ（図示せず）を筐体部３の下面側から基台取付穴に通過させて、押さえ部材５３のネジ穴（図示せず）にそれぞれネジ固定することで、取付基台４が共に（筐体部３に）取り付けられた防振部材５１に支持された状態で筐体部３の上面側に取り付けられる。
【００１６】
これにより、ハードディスクドライブ２が防振部材５１に支持された取付基台４に取り付けられるため、ハードディスクドライブ２の取り付けには固定ネジ４５のみを用いることができ、ハードディスクドライブ２の筐体部３に対する取り付け、取り外しを容易に行うことができる。さらに、ハードディスクドライブ２の筐体部３に対する取り付け、取り外しを容易に行うことができるため、ハードディスクドライブ２の交換作業における作業効率を向上させることができる。
【００１７】
また、ハードディスクドライブ２が防振部材５１に支持された取付基台４に取り付けられるため、取付基台４の形状および材質等を変更することにより、防振部材５１の性能や効果に合わせてハードディスクドライブ２（および取付基台４）の重量（すなわち、固有振動数）を調整することが可能となる。例えば、図３（ａ）に示すように、取付基台１０４をＸ字形に形成することが可能であり、さらには、図３（ｂ）に示すように、取付基台１０５を円形に形成することが可能である。なお、各腕部材１４１，１５１の位置はハードディスクドライブ２のネジ穴の位置によって制約される。また、取付基台４の材質は、要求される重量等に応じて、アルミニウムや、鉄、銅等の材料を自由に選択可能である。
【００１８】
さらに、ハードディスクドライブ２が取付基台４を用いて筐体部３に取り付けられるため、ハードディスクドライブ２に形成されるネジ穴の位置に関係なく防振部材５１を配置することができ、より効果的な防振性能が得られるように防振部材５１を配置することが可能となる。例えば、図３（ａ）に示すように、防振部材５１の間隔を狭めて（もしくは広げて）配置することが可能であり、さらには、図３（ｂ）に示すように、防振部材５１の個数を変更（例えば、３個に変更）して配置することが可能である。なお、最低３組の防振部材を用いれば取付基台４を支持することが可能である。また、ハードディスクドライブ２の重心に合わせた防振部材の配置が可能であるため、より効果的な防振性能を得ることができる。
【００１９】
以上のように構成されるハードディスクドライブユニット１において、例えば、電子機器（図示せず）に設けられた所定の装着部に対してハードディスクドライブユニット１を着脱させると、着脱のたびに筐体部３に対して若干の衝撃や振動が加わる。このとき、ハードディスクドライブ２は、防振部材５１に支持された取付基台４（すなわち、筐体部３）に取り付けられているため、防振部材５１で筐体部３に加えられた衝撃や振動が吸収され、ハードディスクドライブ２の振動が抑制される。
【００２０】
以上のような構成のハードディスクドライブユニット１によれば、ハードディスクドライブ２が防振部材５１に支持された取付基台４に取り付けられるため、ハードディスクドライブ２の取り付けには固定ネジ４５のみを用いることができ、ハードディスクドライブ２の筐体部３に対する取り付け、取り外しを容易に行うことができる。また、ハードディスクドライブ２が取付基台４を用いて筐体部３に取り付けられるため、ハードディスクドライブ２に形成されるネジ穴の位置に関係なく防振部材５１を配置することができ、より効果的な防振性能が得られるように防振部材５１を配置することが可能となる。
【００２１】
なお、本発明に構成される弾性部材として防振部材５１が用いられているが、これに限られるものではなく、例えば、板バネやコイルバネ等、取付基台を支持可能な弾性部材であればよい。さらに、防振部材５１の材料は、防振ゴム材料に限らず、例えば、シリコン等を利用したゲル状材料や、エラストマー等、防振性能を有する材料であればよい。
【００２２】
また、上述の実施形態において、取付基台および腕部材を一体的に形成するようにしてもよい。このようにすれば、腕部材を取付基台に固定するための部品を省くことができ、部品点数を低減させることができる。具体的には、例えば、図４に示すように、取付基台１０５および腕部材１６１がステンレス等の金属板材から折り曲げ等により一体的に形成され、取付基台１０５が防振部材５１に支持された状態で筐体部３に取り付けられるとともに、この取付基台１０５にハードディスクドライブ２が腕部材１６１の支持部１６２に支持された状態で取り付けられるようにしてもよい。
【００２３】
さらに、上述の実施形態において、ハードディスクドライブが第２の弾性部材に支持されて取付基台に取り付けられるようにしてもよい。このようにすれば、ハードディスクドライブの防振効果をより高めることができる。具体的には、例えば、図５に示すように、防振部材５１に支持されて筐体部３に取り付けられている取付基台１０７に固定するベース部１７１と、ハードディスクドライブ２に当接可能な支持部１７２と、ベース部１７１と支持部１７２とに繋がって設けられた第２の弾性部材である弾性腕部材１７５とを備えて構成され、ハードディスクドライブ２が弾性腕部材１７５および支持部１７２に支持された状態で取付基台１０７に取り付けられるようにしてもよい。なお、弾性腕部材１７５は、防振部材５１と同様の材料を用いて、板状もしくは棒状に形成される。また、ベース部１７１および支持部１７２並びに弾性腕部材１７５は、同様の形状が二重に重なる構造でもよく、さらに、板バネやコイルバネ等を用いて板状又は棒状に一体的に形成されてもよい。
【図面の簡単な説明】
【００２４】
【図１】本発明に係るハードディスクドライブユニットの正面図（部分断面図）である。
【図２】取付基台および第１防振部材の底面図である。
【図３】取付基台および第１防振部材の変形例を示す底面図である。
【図４】ハードディスクドライブユニットの変形例を示す正面図である。
【図５】ハードディスクドライブユニットのもう一つの変形例を示す正面図である。
【符号の説明】
【００２５】
１  ハードディスクドライブユニット
２  ハードディスクドライブ
３  筐体部
４  取付基台
５１  防振部材（弾性部材）
１０４  取付基台（変形例）
１０５  取付基台（変形例）
１０６  取付基台（変形例）
１６１  腕部材（変形例）
１０７  取付基台（変形例）
１７５  弾性腕部材（第２の弾性部材）
【図１】
2005196865.tif 000003
【図２】
2005196865.tif 000004
【図３】
2005196865.tif 000005
【図４】
2005196865.tif 000006
【図５】
2005196865.tif 000007